(57)【要約】      （修正有）【課題】スマートフォン、タブレットＰＣ、デジタルカメラ、イヤホーンのような携帯形電子機器に装備された、例えば、マイクロＵＳＢ仕様の超小型コネクタ（オス形）を保護する目的の未使用時にも散逸しない保護カバーを提供する。【解決手段】オス形コネクタ用保護カバーのコネクタ受け口００２の反対側にコネクタのケーブル（リード）を通すスロット０２１を設ける。スロットの入り口（スリット）００５はスロットよりも薄い構造にして、保護カバー００３をケーブル（リード）に保持する。【選択図】図２
0003183467.tif 000002
【実用新案登録請求の範囲】
【請求項１】
オス形コネクタ（プラグ）が未使用時に該オス形コネクタ（プラグ）を挿入するための受け口がその一側面にある電子機器のオス形コネクタ（プラグ）の保護カバーにおいて、該受け口とは反対側の側面に、該オス形コネクタ（プラグ）が使用時に該保護カバーを保持するために該オス形コネクタ（プラグ）と接続されたケーブルもしくはリードをはさんで通すスロットと該スロットに該ケーブルもしくはリードを挿入するための切り口（スリット）を設けたこと、を特徴とする電子機器コネクタ用保護カバー。
【請求項２】
請求項１において、オス形コネクタ（プラグ）はＵＳＢ２．０の仕様およびもしくはＵＳＢ３．０仕様であることおよびもしくはマイクロＵＳＢ仕様であること、を特徴とする電子機器コネクタ用保護カバー。
【請求項３】
請求項１において、オス形コネクタ（プラグ）は少なくともイヤホーンを含む音声受信用電子機器であること、を特徴とする電子機器コネクタ用保護カバー。
【請求項４】
請求項１において、プラスチックおよびもしくはゴムで一体形成およびもしくは貼り合わせで形成されていること、を特徴とする電子機器コネクタ用保護カバー。
【考案の詳細な説明】
【技術分野】
【０００１】本発明は、例えば、スマートフォン、デジタルカメラ、タブレットコンピュータ、イヤホーンのような携帯形およびもしくは可搬形電子機器を接続するコネクタの保護カバーに関する。
【背景技術】
【０００２】従来広く利用されている携帯形電子機器には、音声が直接利用者の口と耳を該電子機器にあてて送受できる通信機能、画像情報を取り込むカメラ機能並びに、例えば、文字のようなテキスト情報を入力して文章を作成できるコンピュータ機能があるスマートフォン、通信機能とカメラ機能がある携帯電話機、カメラ機能及びコンピュータ機能があるタブレットコンピュータ（ＰＣ）並びにカメラ機能があるデジタルカメラ、ビデオムービー、がある。それらには、該携帯形電子機器から別の電子機器およびもしくは電源を主にデジタル信号と電源を接続するコネクタが利用されている。また、従来から利用されている携帯形電子機器には、例えば、イヤホーンのようなアナログ信号、電源を接続するコネクタがある。【０００３】従って、それらの多くの電子機器では、該電子機器をホストとして使用するパソコン（デスクトップおよびもしくはノートＰＣ）に信号を接続する目的と電池を充電する電源アダプターとを接続する目的で、コネクタ（もしくは端子）を設けている。【０００４】前記、コネクタ（もしくは端子）の中でも、ＵＳＢ（Ｕｎｉｖｅｒｓａｌ  Ｓｅｒｉａｌ  Ｂｕｓ）２．０コネクタと称される、標準形のコネクタがパソコン他多くの携帯形電子機器においては広く利用されている。このＵＳＢ２．０コネクタの標準仕様は、電源、接地、２本の差動信号線の合計４線（端子）である。
なかでもスマートフォンやタブレットＰＣのように厚さが１ｃｍ以下と非常に薄い携帯形電子機器においては、マイクロＵＳＢ（ＵＳＢ３．０）と称される超小型のサイズのコネクタが使用されている。この外形サイズにおいてＵＳＢ３．０仕様では、合計９端子を両面に収納する。また、これと略同じ外形サイズの大きさであるが、例えば、端子の配列はＵＳＢ２．０に併せて４端子を配備したＨｉｇｈ  Ｓｐｅｅｄ  ＵＳＢ２．０仕様のコネクタがある。このコネクタのオス形（プラグ）は台形状をしている。一方、同じくマイクロＵＳＢ（ＵＳＢ３．０）と類似の外形サイズを持つ超小型のサイズのコネクタがある。このコネクタのオス形（プラグ）は、矩形状をしている。このコネクタのオス形（プラグ）は、上下両面で合計１６端子あるがその中でそれぞれ４端子をＨｉｇｈ  Ｓｐｅｅｄ  ＵＳＢ２．０の仕様に併せて配備している。この結果、使用者が間違って逆さしをしても接続できる。
以下簡単のために、これらの仕様のコネクタも全てマイクロＵＳＢと総称（定義）する。
即ち、該携帯形電子機器にはメス形のマイクロＵＳＢが設けられＰＣもしくは電源アダプターにはメス形の標準ＵＳＢ２．０が設けられており、その間は、両端に夫々、オス形（プラグ）のマイクロＵＳＢとオス形（プラグ）の標準ＵＳＢ２．０が設けられたケーブルもしくはリードが用意されている（非特許文献１）。【０００５】一方、イヤホーンのような携帯型電子機器では、機器自体が超小型であるために該携帯型電子機器自体から、例えば、円筒形の同軸形の端子をジャックに接続するコネクタが使用されている。また、デジタルカメラやビデオカメラとＴＶ受像機との接続には、ＨＤＭＩという規格（標準）に準拠したコネクタが用いられている。【０００６】コネクタは、電気もしくは光の信号もしくは電源もしくは光源を接続するものであるが、接続時（使用時）もしくは非接続時（未使用時）に、外部のストレスを受ける可能性がある。外部のストレスとしては、機械的ストレス、化学的ストレス、電気的ストレスである。機械的ストレスがひどい時にはコネクタの端子が変形するので接続不良の原因となる。化学的ストレスとしては、塵埃や錆の可能姓がある。塵埃や錆は、やはり接続不良の原因となる。電気的ストレスとしては、例えば、不用意に端子の間を導体（例えば、ピンセット）で結合すると、短絡（ショート）の原因となる。【０００７】このために、コネクタを保護する保護カバーおよびもしくは保護キャップが提案されている。
特許文献１は、コネクタを収容する覆いとこの覆いをケーブルに固定する円筒型のストッパを備えたものである。この保護カバーは、コネクタが使用時、未使用時に関係なく適用される。
特許文献２は、電源コードの一端がプラグに接続され、他端が電子機器に接続された状態において、電子機器の引き込み部分に蛇腹状の保護カバーを設けたものである。この保護カバーにはフェライトコアを使用することで、電子機器の端子から放射される電磁ノイズを低減することを目的とする。
特許文献３は、嵩張ることがなく携行が容易な携行電子機器用外部電力供給装置を目的とするものである。ループ状、またはループ状にして手掛けバンドまたは首掛けバンドとすることができるバンド部材の一端に外部電源接続部を設けるとともに他端に携行電子機器の入力用接続部に接続される出力用接続部を設け、該出力用接続部と外部電源接続部間を電気的に接続し、バンド部材に電力供給機能を組み込んだものである。
特許文献４は、光ファイバーケーブルのコネクタプラグの保護キャップが結束手段を兼用するようにし、これによって、別途結束具を用いないようにしたものである。
非特許文献２には、標準サイズのオ型ＵＳＢコネクタ２．０用保護キャップの記載がある。この保護キャップは、図１のような構造をしており、プラスチックをベースに成型している。この保護キャップには未使用時の保持に関わるストッパはない。
【先行技術文献】
【特許文献】
【０００８】
【特許文献１】特開平８−１９５２４６
【特許文献２】特開平１１−７８３６
【特許文献３】特開２００３−８７２３
【特許文献４】特開２００７−４１３２５
【非特許文献】
【０００９】
【非特許文献１】野崎原生、畑山  仁、永尾裕樹  編著、ＵＳＢ３．０設計のすべて、ＣＱ出版社、２０１１．１０．２０
【非特許文献２】インターネット検索、検索キーワード：コネクタ  保護キャップ＋保護カバー
【考案の概要】
【考案が解決しようとする課題】
【００１０】従来のオス型の標準サイズＵＳＢ２．０コネクタ用保護キャップでは、マイクロＵＳＢのように小型のコネクタ用としては、サイズが小さ過ぎるために保護キャップをコネクタからはずして未使用の状態にすると散逸し易くなる、課題があった。
このために、マイクロＵＳＢには保護キャップを付けないで使用しているが、かかる超小型のコネクタが外部との強度の機械的接触による接続不良、塩分他の外気による化学的腐食による接続不良、意図せざる導体間の短絡による接続不良が生じる可能性がある、課題があった。
そこで、本発明の目的は、かかる超小型のコネクタが外部との強度の機械的接触による接続不良、塩分他の外気による化学的腐食による接続不良、意図せざる導体間の短絡による接続不良からコネクタを保護すること、である。
【課題を解決するための手段】
【００１１】オス型のマイクロＵＳＢに保護キャップを設ける手段と保護キャップの受け口とは反対側に、該オス型のマイクロＵＳＢが接続されているケーブル（リード）に直接該保護キャップが引っかかるようにストッパを設ける手段とからなる。このストッパは、保護キャップのコネクタ受け口の反対側に、ケーブル（リード）の円形断面とほぼ同じサイズ、形状のケーブル（リード）が通るスロットがあり、その一部にケーブル（リード）を挿入する切り口（スリット）があり、その切り口の大きさは、該ケーブル（リード）の円形断面の口径よりも小さいことである。
本考案の別の側面は、前記、該ストッパ付き保護キャップを、例えば、プラスチック、ゴムを用いて一体形成することである。本考案の更なる別の側面は、該ストッパ付き保護キャップを、例えば、プラスチック、ゴムを貼り合わせて形成しても良い。
【考案の効果】
【００１２】本考案によれば、
（１）保護キャップが小さくても未使用時に散逸しない、効果がある。
（２）保護キャップとストッパが一体形成できる、効果がある。
（３）弾性があるゴムやプラスチックを用いれば、オス型のＵＳＢコネクタをほぼ密閉した状態で保護できると同時に、該保護キャップが未使用時にはケーブル（リード）が保護カバーではさまれた状態で保持できる強度が更に増す、効果がある。
【図面の簡単な説明】
【００１３】
【図１】「従来の標準サイズのオス型ＵＳＢ２．０コネクタの概略鳥瞰図である」
【図２】「本考案の概略鳥瞰図１である」
【図３】「本考案の概略鳥瞰図２である」
【図４】「本考案の別の実施例におけるオス型コネクタの概略鳥瞰図である」
【考案を実施するための形態】
【００１４】以降に続く説明では、図面を作成する際の制約のために、本発明を構成する一部（例えば、当該電子機器の利用者）の要素を図面で表現できない点に留意する。また、実施例に示す鳥瞰図の一部の表現を平面図で示す或いは遠近であっても画一のスケールで図面を作成しており不自然であるが、説明を分かり易くするために敢えて用いたことに留意する。
【実施例１】
【００１５】図２、３は、本実用新案の実施例１である。図２、３において、００２１，００３，００４，００５は夫々本実用新案の保護カバーのコネクタ受け口、保護カバー、保護カバーをケーブル（リード）に保持するためのスロット、ケーブル（リード）に保持するためのスロットの入り口（スリット）、である。
００６，００７，００８は、オス形のマイクロＵＳＢの夫々、保持部分、コネクタ（リード）のネック部分、ケーブル（リード）である。保護カバー００３の素材は、プラスチックおよびもしくはゴムである。これらの素材は、一体成型およびもしくは貼り合わせで成型される。保護カバー００３の大きさは、幅が１４ｍｍ、奥行き（ケーブルの方向）が１５ｍｍ，厚さが７ｍｍである。
オス形のＵＳＢコネクタが未使用時には、保護カバー００３のコネクタ受け口００２１にオス形のＵＳＢコネクタをはめ込んで、保存する。一方、ＵＳＢコネクタを使用時には、保護カバー００３のコネクタ受け口００２１からオス形のＵＳＢコネクタを抜き出して、保護カバー００３をケーブル（リード）に保持するためのスロットの入り口（スリット）００５からマイクロＵＳＢのケーブル（リード）をスロット００４にはめ込んで保持する。図に示すように、スロットの入り口（スリット）００５はスロット００４よりも細いので、容易に保持できる。
なお、素材がゴム材もしくは弾性があるプラスチックで形成するとスロットの入り口（スリット）００５に弾力があって伸縮するので保持に更に好都合である。
【実施例２】
【００１６】図４は、実用新案の実施例２である。オス形のコネクタが円柱状（図示せず）であるイヤホーン用コネクタの保護カバー００３１である。図２、３と同一構造物は同じ番号を付して説明を省略する。
００６１はオス形のコネクタの保持部分である。図３と同様に、オス形のコネクタと反対側に、保護カバーをケーブル（リード）に保持するためのスロット００４，スロット入り口（スリット）００５を設けている。保護カバー００３の素材は、プラスチック、ゴムである。これらの素材は、一体成型およびもしくは貼り合わせで成型される。保護カバー００３の大きさは、幅が１４ｍｍ、奥行き（ケーブルの方向）が３０ｍｍ，厚さが７ｍｍである。保護カバーの使用、未使用時の状態は、図２，３と同様であるので説明は省略する。【００１７】以上、実施例１から２までを例として本発明を記述してきたが、本発明の思想はこれらの例に留まらない。すなわち、実施例では、マイクロＵＳＢとイヤホーン用のコネクタの保護カバーを説明したが、標準のＵＳＢ２．０仕様のコネクタにも適用できる。適用電子機器も、ノートＰＣ、デスクトップＰＣ、オーデオプレーヤ、小型録音機にも適用できる。更に、デジタルカメラやビデオカメラからＴＶ受像機とを接続するＨＤＭＩ仕様（標準、規格）のコネクタにも適用できる。
また、オス形のコネクタの保護カバーについて説明してきたが、メス形のコネクタの保護カバーにも適用できる。
電子本発明の精神、思想、並びに概念が及ぶ実施物の全て、即ち、添付されている請求項目に述べられた特徴に囲まれた範囲及びそれと等価なものの中で具体化されたいかなる可能な実施物を含んでいる。
【産業上の利用の可能性】
【００１８】本実用考案である、携帯形電子機器のコネクタ用保護キャップはコンパクトで製造し易く、利便性もあるのでスマートフォン、タブレットＰＣ，デジタルカメラ、イヤホーン他に広く利用できる。
【符号の説明】
【００１９】００１：保護カバー
００２：ＵＳＢ３．０仕様のオス形コネクタの受け口
００２１：マイクロＵＳＢ３．０仕様のオス形コネクタの受け口
００３：マイクロＵＳＢ３．０仕様のオス形コネクタの保護カバー
００３１：イヤホーン用オス形コネクタの保護カバー
００４：マイクロＵＳＢ３．０仕様の保護カバーを保持するケーブル（リード）用ロット
００５：マイクロＵＳＢ３．０仕様の保護カバーを保持するケーブル（リード）用スロットの差込口
００６：マイクロＵＳＢ３．０仕様のオス形コネクタを保持する部分
００６１：イヤホーン用オス形コネクタを保持する部分
００７：マイクロＵＳＢ３．０仕様のケーブル（リード）のネック部分
００８：マイクロＵＳＢ３．０仕様のケーブル（リード）
【図１】
0003183467.tif 000003
【図２】
0003183467.tif 000004
【図３】
0003183467.tif 000005
【図４】
0003183467.tif 000006